(57)【要約】【課題】顧客満足度の向上を図ることを可能とする無線通信システム及び上位ノードを提供する。【解決手段】無線通信システムは、優先度を有する第１呼種及び優先度を有していない第２呼種を提供する。交換機４０は、第２呼種の利用実績を測定する測定部４２と、第２呼種の利用実績に基づいて、第１呼種の優先度を設定する設定部４４とを備える。第１呼種の優先度は、第１呼種に対する無線リソースの割り当ての制御に用いられる。【選択図】図２
2010057027.tif 000002
【特許請求の範囲】
【請求項１】
優先度を有する第１呼種及び優先度を有していない第２呼種を提供する無線通信システムであって、
前記第２呼種の利用実績を測定する第２呼種測定部と、
前記第２呼種の利用実績に基づいて、前記第１呼種の優先度を設定する設定部と、
前記第１呼種の優先度は、前記第１呼種に対する無線リソースの割り当ての制御に用いられることを特徴とする無線通信システム。
【請求項２】
前記第２呼種は、回線交換呼であり、
前記第２呼種の利用実績は、所定期間における前記第２呼種の通信時間の累計値であることを特徴とする請求項１に記載の無線通信システム。
【請求項３】
前記第１呼種の優先度は、複数のサブクラスに分類されており、
前記第１呼種には、前記複数のサブクラスのいずれかのサブクラスが予め設定されており、
前記設定部は、前記第２呼種の利用実績範囲と前記第１呼種のサブクラスを上げる変更クラス数とを対応付ける優先度変更テーブルを参照して、前記第２呼種の利用実績と前記第２呼種の利用実績範囲との比較結果に対応する変更クラス数を特定し、特定された変更クラス数に基づいて、前記第１呼種に予め設定されたサブクラスを上げることを特徴とする請求項１に記載の無線通信システム。
【請求項４】
前記第１呼種の利用実績を測定する第１呼種測定部をさらに備え、
前記設定部は、前記第１呼種の利用実績及び前記第２呼種の利用実績に基づいて、前記第１呼種の優先度を設定することを特徴とする請求項１に記載の無線通信システム。
【請求項５】
前記設定部は、前記第１呼種の利用実績が多い程、前記第１呼種の優先度を低く設定し、前記第２呼種の利用実績が多い程、前記第１呼種の優先度を高く設定することを特徴とする請求項４に記載の無線通信システム。
【請求項６】
前記設定部は、前記第２呼種の利用実績範囲と前記第１呼種の利用実績を減算する減算量とを対応付ける減算量テーブルを参照して、前記第２呼種の利用実績と前記第２呼種の利用実績範囲との比較結果に対応する減算量を特定し、特定された減算量に基づいて、前記第１呼種の利用実績を減算することを特徴とする請求項５に記載の無線通信システム。
【請求項７】
優先度を有する第１呼種及び優先度を有していない第２呼種を提供する無線通信システムに設けられた無線基地局の上位ノードであって、
前記第２呼種の利用実績を測定する第２呼種測定部と、
前記第２呼種の利用実績に基づいて、前記第１呼種の優先度を設定する設定部と、
前記設定部によって設定された前記第１呼種の優先度を前記無線基地局に通知する通知部とを備え、
前記第１呼種の優先度は、前記第１呼種に対する無線リソースの割り当ての制御に用いられることを特徴とする上位ノード。
【発明の詳細な説明】
【技術分野】
【０００１】
本発明は、優先度を有する第１呼種及び優先度を有していない第２呼種を提供する無線通信システム及び上位ノードに関する。
【背景技術】
【０００２】
従来、呼に設定された優先度（例えば、“ｐｒｉｏｒｉｔｙ  ｃｌａｓｓ”）に応じて、無線リソースの割り当てを制御する技術が知られている。一般的に、呼の優先度は、契約形態などによって固定的に設定される。
【０００３】
例えば、無線リソースを時分割で割り当てる呼では、無線リソースの割り当ての制御は、タイムスロットを呼に割り当てる順序（スケジューリング順）の制御である。このような呼は、例えば、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）に対応する呼である。
【０００４】
一方で、伝送速度に応じて無線リソースを割り当てる呼では、無線リソースの割り当ての制御は、無線リソースの割り当てによって変化する伝送速度（割当伝送速度）の制御である。このような呼は、例えば、Ｒ９９（Ｒｅｌｅａｓｅ  ９９）に対応する呼である。
【０００５】
なお、呼の優先度は、無線制御装置や交換局などの上位ノードから無線基地局に通知される（例えば、非特許文献１、非特許文献２）。
【０００６】
具体的には、３ＧＰＰ（３ｒｄ  Ｇｅｎｅｒａｔｉｏｎ  Ｐａｒｔｎｅｒｓｈｉｐ  Ｐｒｏｊｅｃｔ）で標準化されるＷ−ＣＤＭＡ／ＵＴＭＳシステムでは、交換局から無線制御装置へ通知する信号フォーマットとして、“Ａｌｌｏｃａｔｉｏｎ／Ｒｅｔｅｎｔｉｏｎ  Ｐｒｉｏｒｉｔｙ  Ｌｅｖｅｌ”によって呼の優先度を通知可能である（例えば、非特許文献１）。また、無線制御装置から無線基地局への信号フォーマットとして、“ＭＡＣ−ｈｓ  Ｓｃｈｅｄｕｌｉｎｇ  Ｐｒｉｏｒｉｔｙ  Ｉｎｄｉｃａｔｏｒ”によって呼の優先度（スケジューリング順）を通知可能である（例えば、非特許文献２）。
【０００７】
また、呼の種別としては、優先度を有する第１呼種及び優先度を有していない第２呼種が挙げられる。第１呼種は、例えば、パケット交換呼（ＰＳ（Ｐａｃｋｅｔ  Ｓｗｉｔｃｈｉｎｇ）呼）である。第２呼種は、例えば、回線交換呼（ＣＳ（Ｃｉｒｃｕｉｔ  Ｓｗｉｔｃｈｉｎｇ）呼）である。
【非特許文献１】ＴＳ２５．４１３  Ｖ７．９．０  “ＵＴＲＡＮ  Ｉｕ  ｉｎｔｅｒｆａｃｅ  ＲＡＮＡＰ  ｓｉｇｎａｌｌｉｎｇ”
【非特許文献２】ＴＳ２５．４３３  Ｖ８．１．０  “ＵＴＲＡＮ  Ｉｕｂ  ｉｎｔｅｒｆａｃｅ  Ｎｏｄｅ  Ｂ  Ａｐｐｌｉｃａｔｉｏｎ  Ｐａｒｔ  （ＮＢＡＰ）  ｓｉｇｎａｌｌｉｎｇ”
【発明の開示】
【発明が解決しようとする課題】
【０００８】
上述したように、呼の優先度に応じて、無線リソースの割り当てが制御される。従って、ユーザやサービス毎に、ＱｏＳ（Ｑｕａｌｉｔｙ  ｏｆ  Ｓｅｒｖｉｃｅ）の差別化が図られる。
【０００９】
しかしながら、一般的に、呼の優先度は、契約形態などによって固定的に設定されている。従って、例えば、優先度の高い呼による通信量が多量である場合には、優先度の低い呼による通信量が少量であっても、優先度の低い呼による通信速度が低下してしまう。このように、各ユーザに対して公平なサービスを提供することができていなかった。
【００１０】
また、単に、通信量が多量である場合に、呼の優先度を下げることによって、公平なサービスの提供を実現することも考えられる。しかしながら、通信を行えば行う程、呼の優先度が低下するため、顧客満足度が低下してしまう。
【００１１】
そこで、本発明は、上述した課題を解決するためになされたものであり、顧客満足度の向上を図ることを可能とする無線通信システム及び上位ノードを提供することを目的とする。
【課題を解決するための手段】
【００１２】
一の特徴に係る無線通信システムは、優先度を有する第１呼種及び優先度を有していない第２呼種を提供する。無線通信システムは、前記第２呼種の利用実績を測定する第２呼種測定部と、前記第２呼種の利用実績に基づいて、前記第１呼種の優先度を設定する設定部とを備える。前記第１呼種の優先度は、前記第１呼種に対する無線リソースの割り当ての制御に用いられる。
【発明の効果】
【００１３】
本発明によれば、顧客満足度の向上を図ることを可能とする無線通信システム及び上位ノードを提供することができる。
【発明を実施するための最良の形態】
【００１４】
以下において、本発明の実施形態に係る無線通信システムについて、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態は、優先度を有する第１呼種及び優先度を有していない第２呼種を提供する無線通信システムに関する。第１呼種は、例えば、パケット交換呼であり、第２呼種は、例えば、回線交換呼である。実施形態では、第１呼種の優先度が第２呼種の利用実績に基づいて設定される。具体的には、第２呼種の利用実績が多い程、第１呼種の優先度が高く設定される。なお、第１呼種の優先度は、第１呼種に対する無線リソースの割り当ての制御に用いられる。
【００１７】
このように、実施形態では、第１呼種の優先度の設定において、優先度を有していない第２呼種の利用実績が反映される。また、第２呼種の利用実績が多い程、第１呼種の優先度が高く設定される。従って、第１呼種を利用する際において、第２呼種の利用実績が多いユーザが優遇されるため、第２呼種の利用実績が多いユーザの顧客満足度が増大する。
【００１８】
なお、実施形態では、第１呼種は、無線リソースを時分割で割り当てる呼と、伝送速度に応じて無線リソースを割り当てる呼とを含む。
【００１９】
無線リソースを時分割で割り当てる呼では、無線リソースの割り当ての制御は、タイムスロットを呼に割り当てる順序（スケジューリング順）の制御である。このような呼は、例えば、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）に対応する呼である。
【００２０】
一方で、伝送速度に応じて無線リソースを割り当てる呼では、無線リソースの割り当ての制御は、無線リソースの割り当てによって変化する伝送速度（割当伝送速度）の制御である。このような呼は、例えば、Ｒ９９（Ｒｅｌｅａｓｅ  ９９）に対応する呼である。
【００２１】
［実施形態］
（無線通信システム）
以下において、実施形態に係る無線通信システムについて、図面を参照しながら説明する。図１は、実施形態に係る無線通信システムを示す図である。
【００２２】
図１に示すように、無線通信システムは、無線端末１０にサービスを提供する。例えば、無線通信システムは、優先度を有する第１呼種及び優先度を有していない第２呼種を提供する。実施形態では、第１呼種がパケット交換呼であり、第２呼種が回線交換呼であるケースを例示する。
【００２３】
具体的には、無線通信システムは、無線基地局２０と、無線制御装置３０と、交換機４０と、ゲートウェイ５０と、サービス制御装置６０と、課金サーバ７０と、外部ネットワーク１００とを有する。
【００２４】
無線端末１０は、携帯電話、ＰＤＡ、ノートＰＣなどの端末である。無線端末１０は、無線チャネルを介して無線基地局２０と通信を行う。
【００２５】
各無線基地局２０は、各セル２１を管理する。具体的には、無線基地局２０は、セル２１に在圏する無線端末１０と無線チャネルを介して通信を行う。実施形態では、無線基地局２０として、無線基地局２０ａ〜無線基地局２０ｄが設けられている。同様に、セル２１として、セル２１ａ〜セル２１ｄが設けられている。複数のセル２１（セル２１ａ〜セル２１ｄ）はサービスエリアを構成する。
【００２６】
ここで、無線基地局２０は、複数の無線端末１０と通信を行うことに留意すべきである。無線基地局２０は、呼の優先度に基づいて、無線リソースの割り当てを制御する。具体的には、無線基地局２０は、無線リソースを時分割で割り当てる呼（例えば、ＨＳＤＰＡ呼やＨＳＵＰＡ呼）について、呼の優先度に基づいて、タイムスロットを呼に割り当てる順序（スケジューリング順）を制御する。すなわち、無線基地局２０は、パケット交換呼（第１呼種）の優先度に基づいて、パケット交換呼（第１呼種）のスケジューリング順を制御する。
【００２７】
ここで、高い優先度を有する呼については、タイムスロットが割り当てられる機会が多く、低い優先度を有する呼については、タイムスロットが割り当てられる機会が少ない。
【００２８】
なお、第１呼種の優先度は、後述するように、無線基地局２０の上位ノード（実施形態では、交換機４０）によって設定され、上位ノードから無線基地局２０に通知される。
【００２９】
無線制御装置３０は、複数の無線基地局２０を管理する装置である。すなわち、無線制御装置３０は、無線基地局２０の上位ノードである。無線制御装置３０は、無線端末１０と無線基地局２０との間に設定される無線チャネルを割り当てる。実施形態では、無線制御装置３０として、無線制御装置３０ａ〜無線制御装置３０ｂが設けられている。
【００３０】
また、無線制御装置３０は、呼の優先度に基づいて、無線リソースの割り当てを制御する。具体的には、無線制御装置３０は、伝送速度に応じて無線リソースを割り当てる呼（例えば、Ｒ９９呼）について、呼の優先度に基づいて、無線リソースの割り当てによって変化する伝送速度（割当伝送速度）を制御する。すなわち、無線制御装置３０は、パケット交換呼（第１呼種）の優先度に基づいて、パケット交換呼（第１呼種）の割当伝送速度を制御する。
【００３１】
ここで、高い優先度を有する呼については、高い割当伝送速度（例えば、６４ｋｂｐｓ）に相当する無線リソースが割り当てられ、低い優先度を有する呼については、低い割当伝送速度（例えば、３２ｋｂｐｓ）に相当する無線リソースが割り当てられる。
【００３２】
交換機４０は、複数の無線制御装置３０を管理する装置である。すなわち、交換機４０は、無線基地局２０の上位ノードである。交換機４０は、パケット交換呼（第１呼種）の交換機として機能するＳＧＳＮ（Ｓｅｒｖｉｎｇ  ＧＰＲＳ  Ｓｕｐｐｏｒｔ  Ｎｏｄｅ）、回線交換呼（第２呼種）の交換機として機能するＭＳＣ（Ｍｏｂｉｌｅ  Ｓｗｉｔｃｈｉｎｇ  Ｃｅｎｔｅｒ）などによって構成される。なお、交換機４０の詳細については後述する（図２を参照）。
【００３３】
ゲートウェイ５０は、自ネットワークと他ネットワークとを接続するための装置である。すなわち、ゲートウェイ５０は、無線基地局２０の上位ノードである。ゲートウェイ５０は、パケット交換呼（第１呼種）のゲートウェイとして機能するＧＧＳＮ（Ｇａｔｅｗａｙ  ＧＰＲＳ  Ｓｕｐｐｏｒｔ  Ｎｏｄｅ）、回線交換呼（第２呼種）のゲートウェイとして機能するＧＭＳＣ（Ｇａｔｅｗａｙ  Ｍｏｂｉｌｅ  Ｓｗｉｔｃｈｉｎｇ  Ｃｅｎｔｅｒ）などによって構成される。
【００３４】
実施形態では、ゲートウェイ５０として、ゲートウェイ５０ａ〜ゲートウェイ５０ｂが設けられている。なお、ゲートウェイ５０ａは、無線基地局２０、無線制御装置３０及び交換機４０を含むネットワークに設けられた装置であり、ゲートウェイ５０ｂは、外部ネットワーク１００に設けられた装置である。
【００３５】
サービス制御装置６０は、各ゲートウェイ５０に接続されている。サービス制御装置６０は、無線端末１０に提供するサービス（パケット交換呼や回線交換呼）を制御する装置である。なお、サービス制御装置６０は、無線基地局２０の上位ノードと考えられる。
【００３６】
課金サーバ７０は、各ゲートウェイ５０に接続されている。無線端末１０に提供するサービス（パケット交換呼や回線交換呼）に課金するするサーバである。なお、課金サーバ７０は、無線基地局２０の上位ノードと考えられる。
【００３７】
外部ネットワーク１００は、他通信事業者によって提供されるネットワーク、インターネット網などに代表される公衆ネットワークである。
【００３８】
なお、無線基地局２０と無線制御装置３０との間におけるシグナリングは、例えば、ＴＳ２５．４３３  Ｖ８．１．０  “ＵＴＲＡＮ  Ｉｕｂ  ｉｎｔｅｒｆａｃｅ  Ｎｏｄｅ  Ｂ  Ａｐｐｌｉｃａｔｉｏｎ  Ｐａｒｔ  （ＮＢＡＰ）  ｓｉｇｎａｌｌｉｎｇ”で規定されている。また、無線制御装置３０と交換機４０との間におけるシグナリングは、例えば、ＴＳ２５．４１３  Ｖ７．９．０  “ＵＴＲＡＮ  Ｉｕ  ｉｎｔｅｒｆａｃｅ  ＲＡＮＡＰ  ｓｉｇｎａｌｌｉｎｇ”で規定されている。
【００３９】
（上位ノード）
以下において、実施形態に係る上位ノードについて、図面を参照しながら説明する。図２は、実施形態に係る上位ノードを示すブロック図である。実施形態では、上位ノードの一例として交換機４０を例示する。
【００４０】
図２に示すように、交換機４０は、通信部４１と、測定部４２と、記憶部４３と、設定部４４とを有する。
【００４１】
通信部４１は、無線制御装置３０と通信を行う。また、通信部４１は、ゲートウェイ５０と通信を行う。例えば、通信部４１は、後述する設定部４４によって設定されたパケット交換呼（第１呼種）の優先度を“ＲＡＢ  Ｐｒａｍｅｔｅｒ”の“Ａｌｌｏｃａｔｉｏｎ／Ｒｅｔｅｎｔｉｏｎ  Ｐｒｉｏｒｉｔｙ  Ｌｅｖｅｌ”として無線制御装置３０に通知する（例えば、ＴＳ２５．４１３  Ｖ７．９．０を参照）。なお、無線制御装置３０は、パケット交換呼（第１呼種）の優先度を“ＭＡＣ−ｈｓ  Ｓｃｈｅｄｕｌｉｎｇ  Ｐｒｉｏｒｉｔｙ  Ｉｎｄｉｃａｔｏｒ”として無線基地局２０に通知する（例えば、ＴＳ２５．４３３  Ｖ８．１．０を参照）。
【００４２】
測定部４２は、回線交換呼（第２呼種）の利用実績を測定する。具体的には、測定部４２は、回線交換呼の開始から回線交換呼の終了までの間の時間（通信時間）を利用実績として測定する。すなわち、測定部４２は、回線交換呼によって無線リソースが占有される時間を利用実績として測定する。
【００４３】
記憶部４３は、各種データを記憶する。具体的には、記憶部４３は、利用実績テーブルをユーザ毎に記憶する。また、記憶部４３は、優先度設定テーブルを記憶する。
【００４４】
利用実績テーブルは、図３に示すように、回線交換呼（第２呼種）の利用実績を管理するテーブルである。具体的には、利用実績テーブルは、“日付”と“通信時間［秒］”とを対応付ける。“日付”は、回線交換呼（第２呼種）が設定された日付を示す。“通信時間［秒］”は、回線交換呼の開始から回線交換呼の終了までの間の時間（通信時間）を示す。
【００４５】
なお、実施形態では、通信時間は、日付毎に管理されるが、これに限定されるものではない。通信時間は、所定期間における通信時間の累積値を管理できれば、日付以外の単位（例えば、２時間）毎に管理されてもよい。また、通信時間は、現在時刻に至るまでの所定期間における累積時間で管理されてもよい。
【００４６】
優先度設定テーブルは、図４に示すように、パケット交換呼（第１呼種）の優先度を定義するテーブルである。具体的には、優先度設定テーブルは、“利用実績範囲”と“優先度”とを対応付ける。“利用実績範囲”は、回線交換呼（第２呼種）の利用実績と比較される範囲を示す。“優先度”は、各利用実績範囲に対応付けられたパケット交換呼（第１呼種）の優先度を示す。
【００４７】
ここでは、優先度を示す数値が大きい程、優先度が高いことを示す。従って、回線交換呼（第２呼種）の利用実績が多い程、パケット交換呼（第１呼種）の優先度が高い。
【００４８】
設定部４４は、パケット交換呼（第１呼種）の優先度を設定する。具体的には、設定部４４は、回線交換呼（第２呼種）の利用実績に基づいて、パケット交換呼（第１呼種）の優先度を設定する。
【００４９】
第１に、設定部４４は、利用実績テーブルを参照して、回線交換呼（第２呼種）の利用実績を取得する。例えば、現在の日付が“４月５日”であり、所定期間が“当日を含む３日”であるケースを例示する。設定部４４は、図３に示す利用実績テーブルを参照して、４月３日〜４月５日までの期間における通信時間の累積値“８５２＋３２＋０＝８８４”を利用実績として取得する。
【００５０】
第２に、設定部４４は、優先度設定テーブルを参照して、回線交換呼（第２呼種）の利用実績と利用実績範囲とを比較する。続いて、設定部４４は、利用実績を含む利用実績範囲に対応する優先度をパケット交換呼（第１呼種）の優先度として設定する。例えば、利用実績が“８８４”であるケースを例示する。設定部４４は、利用実績“８８４”を含む利用実績範囲“５００〜９９９”を特定し、利用実績範囲“５００〜９９９”に対応する優先度“３”をパケット交換呼（第１呼種）の優先度として設定する。
【００５１】
（無線通信システムの動作）
以下において、実施形態に係る無線通信システムの動作について、図面を参照しながら説明する。図５及び図６は、実施形態に係る無線通信システムの動作を示すフロー図である。なお、実施形態では、交換機４０の動作について例示する。
【００５２】
第１に、交換機４０が利用実績テーブルを更新する動作について、図５を参照しながら説明する。
【００５３】
図５に示すように、ステップ１０において、交換機４０は、回線交換呼（第２呼種）の開始を検出する。
【００５４】
ステップ１１において、交換機４０は、回線交換呼（第２呼種）の利用実績（通信時間）の測定を開始する。
【００５５】
ステップ１２において、交換機４０は、回線交換呼（第２呼種）の終了を検出する。
【００５６】
ステップ１３において、交換機４０は、回線交換呼（第２呼種）の利用実績（通信時間）の測定を終了する。
【００５７】
ステップ１４において、交換機４０は、利用実績テーブルを更新する。交換機４０は、ステップ１１とステップ１２との間で測定された回線交換呼（第２呼種）の利用実績（通信時間）を利用実績テーブルに追加する。
【００５８】
第２に、交換機４０がパケット交換呼（第１呼種）の優先度を設定する動作について、図６を参照しながら説明する。
【００５９】
図６に示すように、ステップ２０において、交換機４０は、パケット交換呼（第１呼種）の開始を検出する。
【００６０】
ステップ２１において、交換機４０は、利用実績テーブルを参照して、回線交換呼（第２呼種）の利用実績を取得する。
【００６１】
ステップ２２において、交換機４０は、優先度設定テーブルを参照して、回線交換呼（第２呼種）の利用実績と利用実績範囲とを比較する。
【００６２】
ステップ２３において、交換機４０は、利用実績を含む利用実績範囲に対応する優先度をパケット交換呼（第１呼種）の優先度として設定する。
【００６３】
（作用及び効果）
実施形態では、設定部４４は、優先度を有していない回線交換呼（第２呼種）の利用実績に基づいて、パケット交換呼（第１呼種）の優先度を設定する。すなわち、パケット交換呼（第１呼種）の優先度の設定において、回線交換呼（第２呼種）の利用実績が反映される。また、回線交換呼（第２呼種）の利用実績が多い程、パケット交換呼（第１呼種）の優先度が高く設定される。従って、パケット交換呼（第１呼種）を利用する際において、回線交換呼（第２呼種）の利用実績が多いユーザが優遇されるため、回線交換呼（第２呼種）の利用実績が多いユーザの顧客満足度が増大する。
【００６４】
［変更例１］
以下において、上述した実施形態の変更例１について、図面を参照しながら説明する。以下においては、上述した実施形態との相違点について主として説明する。
【００６５】
変更例１では、パケット交換呼（第１呼種）の優先度は、複数のサブクラスに分類されている。パケット交換呼（第１呼種）には、複数のサブクラスのいずれかのサブクラスが予め設定されている。パケット交換呼（第１呼種）に予め設定されたサブクラスが回線交換呼（第２呼種）の利用実績に基づいて変更される。
【００６６】
（上位ノード）
以下において、実施形態の変更例１に係る上位ノードについて、図面を参照しながら説明する。変更例１では、上位ノードの一例として交換機４０を例示する。図７及び図８は、記憶部４３に記憶されたデータの一例を示している。
【００６７】
第１に、サブクラステーブルについて、図７を参照しながら説明する。図７に示すように、サブクラステーブルは、パケット交換呼（第１呼種）に予め設定されたサブクラスをユーザ毎に定義する。具体的には、サブクラステーブルは、“ユーザ”と“サブクラス”とを対応付ける。“ユーザ名”は、無線端末１０の契約者などのユーザを示す。“サブクラス”は、ユーザのパケット交換呼（第１呼種）に予め設定されたサブクラスを示す。
【００６８】
ここでは、サブクラスを示す数値が大きい程、パケット交換呼（第１呼種）の優先度が高いことを示すことに留意すべきである。
【００６９】
第２に、優先度変更テーブルについて、図８を参照しながら説明する。図８に示すように、優先度変更テーブルは、パケット交換呼（第１呼種）のサブクラスを上げる変更クラス数を定義するテーブルである。具体的には、優先度変更テーブルは、“利用実績範囲”と“変更クラス数”とを対応付ける。“利用実績範囲”は、回線交換呼（第２呼種）の利用実績と比較される範囲を示す。“変更クラス数”は、各利用実績範囲に対応付けられており、パケット交換呼（第１呼種）のサブクラスを上げるクラス数を示す。
【００７０】
第３に、パケット交換呼（第１呼種）のサブクラスの設定について説明する。（１）設定部４４は、優先度変更テーブルを参照して、回線交換呼（第２呼種）の利用実績と利用実績範囲とを比較する。（２）設定部４４は、利用実績を含む利用実績範囲に対応する変更クラス数を特定する。（３）設定部４４は、サブクラステーブルを参照して、パケット交換呼（第１呼種）を設定するユーザのサブクラスを特定する。（４）設定部４４は、利用実績を含む利用実績範囲に対応する変更クラス数に基づいて、パケット交換呼（第１呼種）を設定するユーザのサブクラスを上げる。すなわち、設定部４４は、予め設定されたサブクラスを変更クラス数上げたサブクラスをパケット交換呼（第１呼種）の優先度として設定する。
【００７１】
例えば、ユーザとしてユーザＢを例に挙げて説明する。また、ユーザＢに係る回線交換呼（第２呼種）の利用実績が“８８４”であるケースを例示する。設定部４４は、利用実績“８８４”を含む利用実績範囲“５００〜９９９”を特定し、利用実績範囲“５００〜９９９”に対応する変更クラス数“＋２”を特定する。設定部４４は、ユーザＢのサブクラス“４”に変更クラス数“２”を加算する。すなわち、設定部４４は、ユーザＢのパケット交換呼（第１呼種）の優先度としてサブクラス“６”を設定する。
【００７２】
（無線通信システムの動作）
以下において、実施形態の変更例１に係る無線通信システムの動作について、図面を参照しながら説明する。図９は、実施形態の変更例１に係る無線通信システムの動作を示すフロー図である。なお、変更例１では、交換機４０の動作について例示する。
【００７３】
図９に示すように、ステップ３０において、交換機４０は、パケット交換呼（第１呼種）の開始を検出する。
【００７４】
ステップ３１において、交換機４０は、利用実績テーブルを参照して、回線交換呼（第２呼種）の利用実績を取得する。
【００７５】
ステップ３２において、交換機４０は、優先度変更テーブルを参照して、回線交換呼（第２呼種）の利用実績と利用実績範囲とを比較する。
【００７６】
ステップ３３において、交換機４０は、利用実績を含む利用実績範囲に対応する変更クラス数を特定する。続いて、交換機４０は、特定された変更クラス数に基づいて、パケット交換呼（第１呼種）に予め設定されたサブクラスを上げる。すなわち、交換機４０は、予め設定されたサブクラスを変更クラス数上げたサブクラスをパケット交換呼（第１呼種）の優先度として設定する。
【００７７】
（作用及び効果）
変更例１では、設定部４４は、パケット交換呼（第１呼種）に予め設定された優先度（サブクラス）を利用しながら、回線交換呼（第２呼種）の利用実績に基づいて、パケット交換呼（第１呼種）の優先度を設定する。すなわち、パケット交換呼（第１呼種）に予め設定された優先度（サブクラス）を利用しながら、上述した実施形態と同様の効果が得られる。
【００７８】
［変更例２］
以下において、上述した実施形態の変更例２について、図面を参照しながら説明する。以下においては、上述した実施形態との相違点について主として説明する。
【００７９】
変更例２では、パケット交換呼（第１呼種）の優先度は、パケット交換呼（第１呼種）の利用実績及び回線交換呼（第２呼種）の利用実績に基づいて設定される。
【００８０】
具体的には、パケット交換呼（第１呼種）の利用実績が多い程、パケット交換呼（第１呼種）の優先度が低く設定される。一方で、回線交換呼（第２呼種）の利用実績が多い程、パケット交換呼（第１呼種）の優先度が高く設定される。
【００８１】
（上位ノード）
以下において、実施形態の変更例２に係る上位ノードについて、図面を参照しながら説明する。変更例２では、上位ノードの一例として交換機４０を例示する。図１０〜図１２は、記憶部４３に記憶されたデータの一例を示している。
【００８２】
第１に、利用実績テーブル（パケット交換呼）について、図１０を参照しながら説明する。図１０に示すように、利用実績テーブル（パケット交換呼）は、パケット交換呼（第１呼種）の利用実績を管理するテーブルである。具体的には、利用実績テーブルは、“ユーザ名”と“通信量［ｂｙｔｅ］”とを対応付ける。“ユーザ名”は、パケット交換呼（第１呼種）を設定するユーザを示す。“通信量［ｂｙｔｅ］”は、ユーザがパケット交換呼によって送受信したパケット量（通信量）を示す。
【００８３】
なお、実施形態では、通信量は、ユーザが受信したパケット量であってもよく、ユーザが送信したパケット量であってもよい。また、通信量は、ユーザが受信したパケット量及びユーザが送信したパケット量の合計量であってもよい。
【００８４】
変更例２では、パケット交換呼（第１呼種）の利用実績は、回線交換呼（第２呼種）の利用実績と同様に、測定部４２によって測定されることに留意すべきである。また、記憶部４３は、図３に示す利用実績テーブル（回線交換呼）を記憶することに留意すべきである。
【００８５】
第２に、減算量テーブルについて、図１１を参照しながら説明する。図１１に示すように、減算量テーブルは、パケット交換呼（第１呼種）の利用実績を減算する減算量を定義するテーブルである。具体的には、減算量テーブルは、“利用実績範囲”と“減算量”とを対応付ける。“利用実績範囲”は、回線交換呼（第２呼種）の利用実績と比較される範囲を示す。“減算量”は、各利用実績範囲に対応付けられており、パケット交換呼（第１呼種）の利用実績を減算する量を示す。
【００８６】
第３に、優先度テーブルについて、図１２を参照しながら説明する。図１２に示すように、優先度テーブルは、パケット交換呼（第１呼種）の優先度を定義するテーブルである。具体的には、優先度設定テーブルは、“利用実績範囲”と“優先度”とを対応付ける。“利用実績範囲”は、パケット交換呼（第１呼種）の利用実績と比較される範囲を示す。“優先度”は、各利用実績範囲に対応付けられたパケット交換呼（第１呼種）の優先度を示す。
【００８７】
ここでは、優先度を示す数値が大きい程、優先度が高いことを示す。従って、パケット交換呼（第１呼種）の利用実績が多い程、パケット交換呼（第１呼種）の優先度が低い。
【００８８】
第４に、パケット交換呼（第１呼種）の優先度の設定について説明する。（１）設定部４４は、利用実績テーブル（パケット交換呼）を参照して、ユーザのパケット交換呼（第１呼種）の利用実績を取得する。（２）設定部４４は、利用実績テーブル（回線交換呼）を参照して、ユーザの回線交換呼（第２呼種）の利用実績を取得する。（３）設定部４４は、減算量テーブルを参照して、回線交換呼（第２呼種）の利用実績と利用実績範囲とを比較する。（４）設定部４４は、利用実績を含む利用実績範囲に対応する減算量を特定する。（５）設定部４４は、ユーザのパケット交換呼（第１呼種）の利用実績から減算量を減算する。（６）設定部４４は、優先度テーブルを参照して、減算量の減算後におけるパケット交換呼（第１呼種）の利用実績と利用実績範囲とを比較する。（７）設定部４４は、パケット交換呼（第１呼種）の利用実績を含む利用実績範囲に対応する優先度をパケット交換呼（第１呼種）の優先度として設定する。
【００８９】
例えば、ユーザとしてユーザＢを例に挙げて説明する。また、ユーザＢに係るパケット交換呼（第１呼種）の利用実績が“６１，７８９”であり、ユーザＢに係る回線交換呼（第２呼種）の利用実績が“８８４”であるケースを例示する。設定部４４は、回線交換呼（第２呼種）の利用実績“８８４”を含む利用実績範囲“５００〜”を特定し、利用実績範囲“５００〜”に対応する減算量“４，０９６”を特定する。設定部４４は、ユーザＢに係るパケット交換呼（第１呼種）の利用実績“６１，７８９”から減算量“４，０９６”を減算する。設定部４４は、減算量の減算後におけるパケット交換呼（第１呼種）の利用実績“６１，７８９−４，０９６＝５７，６９３”を含む利用実績範囲“４０，０００〜５９，９９９”を特定し、利用実績範囲“４０，０００〜５９，９９９”に対応する優先度“３”をパケット交換呼（第１呼種）の優先度に設定する。なお、回線交換呼（第２呼種）の利用実績に基づく減算が行われない場合には、パケット交換呼（第１呼種）の優先度として優先度“２”が設定されることに留意すべきである。
【００９０】
（無線通信システムの動作）
以下において、実施形態の変更例２に係る無線通信システムの動作について、図面を参照しながら説明する。図１３は、実施形態の変更例２に係る無線通信システムの動作を示すフロー図である。なお、変更例２では、交換機４０の動作について例示する。
【００９１】
図１３に示すように、ステップ４０において、交換機４０は、パケット交換呼（第１呼種）の開始を検出する。
【００９２】
ステップ４１において、交換機４０は、利用実績テーブル（パケット交換呼）を参照して、パケット交換呼（第１呼種）の利用実績を取得する。また、交換機４０は、利用実績テーブル（回線交換呼）を参照して、回線交換呼（第２呼種）の利用実績を取得する。
【００９３】
ステップ４２において、交換機４０は、減算量テーブルを参照して、回線交換呼（第２呼種）の利用実績と利用実績範囲とを比較する。
【００９４】
ステップ４３において、交換機４０は、回線交換呼（第２呼種）の利用実績を含む利用実績範囲に対応する減算量を特定する。続いて、交換機４０は、パケット交換呼（第１呼種）の利用実績から減算量を減算する。
【００９５】
ステップ４４において、交換機４０は、減算量の減算後におけるパケット交換呼（第１呼種）の利用実績に基づいて、パケット交換呼（第１呼種）の優先度を設定する。具体的には、交換機４０は、パケット交換呼（第１呼種）の利用実績を含む利用実績範囲に対応する優先度をパケット交換呼（第１呼種）の優先度として設定する。
【００９６】
なお、変更例２では、パケット交換呼（第１呼種）の利用実績及び回線交換呼（第２呼種）の利用実績に基づいて、パケット交換呼（第１呼種）の優先度を設定する方法として、パケット交換呼（第１呼種）の利用実績を減算する方法を例示したに過ぎない。
【００９７】
以下に示す（１）及び（２）を満たす方法であれば、他の方法を用いてもよいことは勿論である。（１）パケット交換呼（第１呼種）の利用実績が多い程、パケット交換呼（第１呼種）の優先度が低く設定される。（２）回線交換呼（第２呼種）の利用実績が多い程、パケット交換呼（第１呼種）の優先度が高く設定される。
【００９８】
（作用及び効果）
変更例２では、設定部４４は、パケット交換呼（第１呼種）及び回線交換呼（第２呼種）の利用実績に基づいて、回線交換呼（第２呼種）の利用実績に基づいて、パケット交換呼（第１呼種）の優先度を設定する。
【００９９】
具体的には、パケット交換呼（第１呼種）の利用実績が多い程、パケット交換呼（第１呼種）の優先度が低く設定される。これによって、パケット交換呼（第１呼種）の利用実績が少ないユーザのパケット交換呼（第１呼種）の優先度が相対的に上昇する。これによって、公平なサービスの提供を実現できる。
【０１００】
一方で、回線交換呼（第２呼種）の利用実績が多い程、パケット交換呼（第１呼種）の優先度が高く設定される。これによって、回線交換呼（第２呼種）の利用実績が多いユーザの顧客満足度が向上する。
【０１０１】
一般的に、回線交換呼の利用実績が多いユーザは、パケット交換呼の利用実績も多いと想定される。このようなケースにおいて、パケット交換呼の利用実績に低下する優先度は、回線交換呼の利用実績によって上昇する。これによって、公平なサービスの提供及び顧客満足度の向上を両立できる。
【０１０２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０３】
利用実績の測定、利用実績の記憶及び優先度の設定は、交換機４０によって行われるが、実施形態はこれに限定されるものではない。具体的には、利用実績の測定、利用実績の記憶及び優先度の設定は、交換機４０以外の上位ノードによって行われてもよい。また、上述した測定部４２、記憶部４３及び設定部４４の機能は、それぞれ、異なる上位ノードに設けられていてもよい。
【０１０４】
実施形態では特に触れていないが、パケット交換呼（第１呼種）には、ユーザの契約形態（例えば、基本料金などの料金プラン）によって定められる優先度クラス（Ｐｒｉｏｒｉｔｙ  Ｃｌａｓｓ）が設定されていてもよい。このようなケースでは、回線交換呼（第２呼種）の利用実績に基づいて、優先度クラスが変更されてもよい。又は、各優先度クラスが複数の詳細分類クラスに細分化されており、優先度クラスを変更せずに、回線交換呼（第２呼種）の利用実績に基づいて、詳細分類クラスが変更されてもよい。なお、変更例２に係る“サブクラス”は、優先度クラス（Ｐｒｉｏｒｉｔｙ  Ｃｌａｓｓ）と考えてもよく、詳細分類クラスと考えてもよい。
【図面の簡単な説明】
【０１０５】
【図１】実施形態に係る無線通信システムを示す図である。
【図２】実施形態に係る交換機４０を示すブロック図である。
【図３】実施形態に係る利用実績テーブル（回線交換呼）を示す図である。
【図４】実施形態に係る優先度設定テーブルを示す図である。
【図５】実施形態に係る無線通信システムの動作を示すフロー図である。
【図６】実施形態に係る無線通信システムの動作を示すフロー図である。
【図７】実施形態の変更例１に係るサブクラステーブルを示す図である。
【図８】実施形態の変更例１に係る優先度変更テーブルを示す図である。
【図９】実施形態の変更例１に係る無線通信システムの動作を示すフロー図である。
【図１０】実施形態の変更例２に係る利用実績テーブル（パケット交換呼）を示す図である。
【図１１】実施形態の変更例２に係る優先度変更テーブルを示す図である。
【図１２】実施形態の変更例２に係る優先度設定テーブルを示す図である。
【図１３】実施形態の変更例２に係る無線通信システムの動作を示すフロー図である。
【符号の説明】
【０１０６】
１０・・・無線端末、２０・・・無線基地局、２１・・・セル、３０・・・無線制御装置、４０・・・交換機、４１・・・通信部、４２・・・測定部、４３・・・記憶部、４４・・・設定部、５０・・・ゲートウェイ、６０・・・サービス制御装置、７０・・・課金サーバ、１００・・・外部ネットワーク
【図１】
2010057027.tif 000003
【図２】
2010057027.tif 000004
【図３】
2010057027.tif 000005
【図４】
2010057027.tif 000006
【図５】
2010057027.tif 000007
【図６】
2010057027.tif 000008
【図７】
2010057027.tif 000009
【図８】
2010057027.tif 000010
【図９】
2010057027.tif 000011
【図１０】
2010057027.tif 000012
【図１１】
2010057027.tif 000013
【図１２】
2010057027.tif 000014
【図１３】
2010057027.tif 000015